(57)【要約】【課題】限られたスペースの中でスペースを有効利用しながら生活動作における寸法的な比較体験を行うことができる生活動作比較体験設備等を提供する。【解決手段】出入れ可能な生活動作比較体験用の引出しが収納ボックスに備えられ、該引出しを収納ボックスから引き出すことで生活動作における寸法的な比較体験を行うことができるようになされている。浴室空間形成用の引出しやトイレ空間形成用の引出しなどが備えられている。【選択図】      図１
2004264544.tif 000002
【特許請求の範囲】
【請求項１】
出入れ可能な生活動作比較体験用の引出しが収納ボックスに備えられ、該引出しを収納ボックスから引き出すことで生活動作における寸法的な比較体験を行うことができるようになされていることを特徴とする生活動作比較体験設備。
【請求項２】
引き出して入浴動作における寸法的な比較体験を行うことができる浴室空間形成用の引出しが備えられている請求項１に記載の生活動作比較体験設備。
【請求項３】
引き出して排泄動作における寸法的な比較体験を行うことができるトイレ空間形成用の引出しが備えられている請求項１に記載の生活動作比較体験設備。
【請求項４】
引き出して入浴動作における寸法的な比較体験を行うことができる浴室空間形成用の引出しと、引き出して排泄動作における寸法的な比較体験を行うことができるトイレ空間形成用の引出しのいずれか一方又は両方を含む、出し入れ可能な複数の生活動作比較体験用引出しが備えられていることを特徴とする請求項１に記載の生活動作比較体験設備。
【請求項５】
前記収納ボックスがキャスター等の移動手段で移動可能であり、かつ、向きを異にする少なくとも２側面に引出しが備えられている請求項４に記載の生活動作比較体験設備。
【請求項６】
前記収納ボックスの側面部に身体寸法測定用のグリッドが備えられている請求項１乃至５のいずれか一に記載の生活動作比較体験設備。
【請求項７】
請求項１乃至６のいずれか一に記載の生活動作比較体験設備を用い、体験希望者に生活動作における寸法的な比較体験をさせることを特徴とする生活動作比較体験提供方法。
【発明の詳細な説明】
【０００１】
【発明の属する技術分野】
本発明は、生活動作比較体験設備及び同比較体験提供方法に関する。
【０００２】
【従来の技術】
洗い場の床面と浴槽の縁の高さ位置の関係や、手摺りの高さ位置、階段の勾配などの生活動作における寸法的な比較体験をするための生活動作比較体験設備は福祉や住宅関係分野において従来より種々提供されている。
【０００３】
【発明が解決しようとする課題】
しかしながら、体験設備を設置するスペースが狭く、限られたスペースの中でスペースを有効利用しながら生活動作の比較体験を行うことができるようになされた体験設備は未だ提供されていない状況にある。
【０００４】
本発明はそのような状況背景において、限られたスペースの中でスペースを有効利用しながら生活動作における寸法的な比較体験を行うことができる生活動作比較体験設備等を提供することを課題とする。
【０００５】
【課題を解決するための手段】
上記の課題は、出入れ可能な生活動作比較体験用の引出しが収納ボックスに備えられ、該引出しを収納ボックスから引き出すことで生活動作における寸法的な比較体験を行うことができるようになされていることを特徴とする生活動作比較体験設備によって解決される。
【０００６】
この体験設備では、生活動作における寸法的な比較体験を行うときに体験用の引出しを収納ボックスから引き出し、体験を行わないときは引出しを収納ボックスに仕舞っておくという使い方をすることができる。従って、体験を行わないときには引出しを収納ボックスに仕舞っておくことで、設備周辺のスペースを広くすることができ、スペースの有効利用を行える。このようにして、限られたスペースの中でスペースを有効利用しながら生活動作における寸法的な比較体験を行うことが可能となる。
【０００７】
しかも、引出し式であるから、引出しを水平状態に維持したまま収納ボックスに出し入れできて体験のための用品類を引出しに設計上容易に組み込むことができ、また、体験において、収納ボックスからの出入れも容易に行うことができる。
【０００８】
上記の設備において、引き出して入浴動作における寸法的な比較体験を行うことができる浴室空間形成用の引出しが備えられている場合は、限られたスペースの中でスペースを有効利用しながら入浴動作における寸法的な比較体験を行うことができる。
【０００９】
また、引き出して排泄動作における寸法的な比較体験を行うことができるトイレ空間形成用の引出しが備えられている場合は、限られたスペースの中でスペースを有効利用しながら排泄動作における寸法的な比較体験を行うことができる。
【００１０】
特に、これら入浴動作や排泄動作における寸法的な比較体験を行うには、大きな体験用空間が必要となるが、必要なときに引き出して体験を行い、不要なときは収納ボックスに仕舞えることで、限られたスペースを効果的に有効利用することができる。
【００１１】
更に、引き出して入浴動作における寸法的な比較体験を行うことができる浴室空間形成用の引出しと、引き出して排泄動作における寸法的な比較体験を行うことができるトイレ空間形成用の引出しのいずれか一方又は両方を含む、出し入れ可能な複数の生活動作比較体験用引出しが備えられているとよい。この場合は、一つのボックスで複数種類の生活動作について寸法的な比較体験を行うことができる。
【００１２】
この場合に、前記収納ボックスがキャスター等の移動手段で移動可能であり、かつ、向きを異にする少なくとも２側面に引出しが備えられているときは、体験に使用しない引出しの備えられた側面部を周囲の邪魔にならないところ、例えば壁面側等に寄せるよう収納ボックスを移動して、体験に使用する引出しの引出しスペースを確保するなどというようにして、限られたスペースを有効利用しながら複数種類の体験を行っていくことも可能となる。
【００１３】
前記収納ボックスの側面部に身体寸法測定用のグリッドが備えられている場合は、生活動作における寸法的な比較体験を、体験者の身体の寸法との関係でよりわかりやすく把握していくことができる。しかも、このグリッドは収納ボックスの側面部を利用して備えられているから、体験者は身体寸法の測定を手間なく容易に行うことができる。
【００１４】
上記の生活動作比較体験設備を用い、体験希望者に生活動作における寸法的な比較体験をさせることによって、福祉分野であるか、住宅関連分野であるか、教育分野であるかを問わず、体験をさせる側は、設備の利用スペースの確保に苦慮することなく、体験設備を容易に導入できるようになり、希望者の体験希望に容易に応えていくことが可能となる。
【００１５】
【発明の実施の形態】
次に、本発明の実施形態を図面に基づいて説明する。
【００１６】
図１及び図２に示す実施形態の生活動作比較体験設備１において、２は収納ボックスで、例えば、縦横１８２０ｍｍ程度の平面サイズで高さ寸法が２１００ｍｍのボックス状をしており、図２（ロ）に示すように、下面部には、移動できるように、移動手段としてのキャスター３が備えられている。
【００１７】
４，５，６，７はそれぞれ、収納ボックス２に組み込まれている生活動作比較体験用の引出しで、４は浴室空間形成用の引出し、５はトイレ空間形成用の引出し、６はキッチン等のカウンター体験用の引出し、７は収納体験用の引出しである。
【００１８】
各引出し４，５，６，７の配置関係は、浴室空間形成用の引出し４が収納ボックス２の一側面に備えられ、トイレ空間形成用の引出し５が浴室空間形成用の引出し４とは引き出す向きを１８０°異ならせた一側面部に備えられ、カウンター体験用の引出し６と収納体験用の引出し７とは、残る２側面のうちの一方の側面部に並ぶようにして備えられ、残る一つの側面部には身体寸法測定用のグリッド８が備えられている。
【００１９】
浴室空間形成用の引出し４は、引き出して入浴動作における寸法的な比較体験を行うようになされたものからなっている。本実施形態では、図３（イ）に示すように、浴槽９と洗い場１０との間に縦手摺り１１が備えられており、この縦手摺り１１には目盛り１２が付されていて、洗い場１０と浴槽９との間の行き来における縦手摺り１１のあるべき高さ寸法の範囲を、目盛り１２等を利用することで、比較体験して知ることができるようになされたものからなっている。
【００２０】
なお、浴室空間形成用の引出し４は、図３（ロ）に示すように、洗い場１０に高さ寸法の異なる複数のイス１３，１４と、目盛り１２付きの手摺り１１とを設置し、イスの高さ寸法の違いによって立ち座り動作における手摺り１１のあるべき高さ範囲がどの範囲であるかを各イス１３，１４を利用して比較体験できるようになされたものであってもよい。図３（ロ）では更に、立ち座りにおいて右側の手摺りが良いか左側の手摺りが良いか比較体験することもできるようになされている。
【００２１】
また、図示しないが、浴槽９と洗い場１０との高さ位置関係を変化させることができるように製作し、浴槽１０の縁の跨ぎ高さ寸法がどの範囲のものであれば無理なく安全に浴槽９と洗い場１０とを行き来できるのかを比較体験できるようになされたものであってもよい。
【００２２】
トイレ空間形成用の引出し５は、引き出して排泄動作における寸法的な比較体験を行うことができるようになされたものからなっている。本実施形態では、図４に示すように、便器１５の脇の壁に縦横の手摺り１６が備えられ、便器１５は、は、寸法標示の付された床面１７に対して平面方向に移動できるようになされて、便器１５の位置を変更することで、便器１５と手摺り１６との間隔寸法関係を比較体験できるようになされている。また、図示しないが、手摺り１６に目盛りを付し、必要な手摺りの握り長さ範囲がいかほどかを把握できるようになされているのもよい。なお、このような体験に限らず、トイレにおけるその他の動作における寸法的な比較体験を行えるようになされたものであってもよい。
【００２３】
なお、浴室空間形成用の引出し４とトイレ空間形成用の引出し５は、収納ボックス２から引き出すことによって、人の出入りできる浴室空間、トイレ空間が形成され、収納ボックス２に戻すことによって外から内部が視認されないような構造の引出しとなっている。１８はそのための引出しの壁である。
【００２４】
カウンター体験用の引出し６は、引き出してカウンターの取扱い性に関する寸法的な比較体験を行うようになされたものからなっている。本実施形態では、キッチンや洗面所などのように流し用の凹部が備えられたカウンターの天面高さ位置を寸法的に比較体験するものからなっていて、図５に示すように、カウンター板１９…がその天面の高さ位置を異ならせて上下方向に複数備えられ、それぞれのカウンター板１９…が収納ボックス２から引出し可能に備えられている。そして、各カウンター板１９には上下に貫通する開口部２０が備えられ、この開口部２０に、流し部を形成する椀状材２１を下方突出状態にセットすることができるようになされている。椀状材２１は一つ備えられ、各カウンター板１９…の開口部２０…に共通のものである。
【００２５】
このカウンター体験用の引出し６では、すべてのカウンター板１９を引き出し、最上部のカウンター板１９の開口部２０に椀状材２１をセットして、そのカウンター板１９の天面高さ位置を寸法的に体験し、次いで、最上部のカウンター板１９のみを収納ボックス２に戻し、その下のカウンター板１９の開口部２０に椀状材２１をセットして、そのカウンター板１９の天面高さ位置を寸法的に体験するということを行っていくことによって、カウンターの天面高さ位置を寸法的に比較体験することができる。あるいは、カウンター板を一つづつ引き出してその開口部２０に椀状材２１をセットして体験を行い、そのカウンター板を戻して、次のカウンター板１９を引き出してその開口部２０に椀状材２１をセットして体験を行うということを繰り返すようにしてもよい。なお、カウンター体験用の引出しは、その他の形式のものからなっていてもよいし、カウンターに関するその他の体験を行いうるものからなっていてもよい。
【００２６】
収納体験用の引出し７は、図６（イ）に示すように、引き出して収納用の引出しの取扱い性に関する寸法的な比較体験を行うようになされたものからなっている。本実施形態では、床面から６０ｃｍの高さ位置までの間に２つの引出し２２，２２が備えられ、６０ｃｍの高さ位置から１２０ｃｍの高さ位置までの間に３つの引出し２３…が備えられ、１２０ｃｍの高さ位置から１５０ｃｍの高さ位置までの間に３つの引出し２４…が備えられている。
【００２７】
これにより、床面近くの引出し２２は、それと隣り合う上部の引出し２３より高さ寸法を大にした方が引出しとして使いやすいことを寸法的に比較体験することができ、また、１２０ｃｍの高さ位置から１５０ｃｍの高さ位置までの間に密に備えられた３つの引出し２４…によって、使用者の身長に応じてどの程度の高さ位置までなら引出しとして使えるかを寸法的に比較体験することができるようになされている。
【００２８】
なお、引出しとして使えない１５０ｃｍの高さ位置から２１０ｃｍの高さ位置までの間には、跳上げて開く上開きハッチ式の収納部２５…が２つ備えられており、この高さ範囲では、引出し式の収納部よりも上開きハッチ式の収納部２５…の方が使いやすいことを高さ寸法的に比較体験できるようになされている。
【００２９】
上記の生活動作比較体験設備は、収納ボックス２が例えば上に述べたような寸法サイズのものであれば、例えば、住宅関連企業の全国の支店やショールーム、福祉関係の施設や教育機関等の建物内部に設置して、来客者や関係者、研究者等に使用させることができる。そして、使用においては、体験を行うときに体験用の引出し４，５，６，７を収納ボックス２から引き出し、体験を行わないときは引出し４，５，６，７を収納ボックス２に仕舞っておくというようにすることによって、体験を行わないときには引出しを収納ボックスに仕舞っておくことで、設備周辺のスペースを広くすることができ、スペースの有効利用を行える。このようにして、限られたスペースの中でスペースを有効利用しながら生活動作における寸法的な比較体験を行うことが可能となる。
【００３０】
特に、入浴動作や排泄動作における寸法的な比較体験を行うには、大きな体験用空間が必要となるのが一般的であるが、必要なときに引き出して体験を行い、不要なときは収納ボックスに仕舞えることで、限られたスペースを効果的に有効利用することができる。しかも、引出し式であるから、特に、トイレ空間形成用の引出し５や浴室空間形成用の引出し４にあっては、引出しを水平状態に維持したまま収納ボックスに出し入れできて、体験のための用品類を引出しに設計上容易に組み込むことができ、また、体験において、収納ボックスからの出入れも容易に行うことができる。本実施形態の設備には、浴室やトイレ、カウンター、収納など、一つの設備で複数種類の生活動作について寸法的な比較体験を行うことができる。
【００３１】
しかも、収納ボックス２がキャスター３で床面上を移動可能であり、かつ、トイレと浴室のように向きを異にする少なくとも２側面に引出しが備えられているので、図６（ロ）に示すように、体験に使用しない例えばトイレ用の引出し５の備えられた側面部を周囲の邪魔にならないところ、例えば壁面側２８等に寄せるよう収納ボックス２を移動し、体験に使用する浴室の引出し４の引出しスペースを確保するなどというようにして、例えば建物内の限られたスペースを有効利用しながら複数種類の体験を行っていくことも可能となる。
【００３２】
また、収納ボックス２の一側面部には、身体寸法測定用のグリッド８が備えられているので、この設備１を用いた生活動作の寸法的な比較体験を体験者の身体の寸法との関係でよりわかりやすく体験者に把握させることができ、しかも、このグリッド８は収納ボックス２の側面部を利用して備えられているから、体験者は身体寸法の測定を手間なく容易に行うことができる。
【００３３】
そして、上記の生活動作比較体験設備１を用い、体験希望者に生活動作における寸法的な比較体験をさせることによって、住宅関連企業等の体験をさせる側は、設備の利用スペースの確保に苦慮することなく、体験設備１を容易に導入できるようになり、希望者の体験希望に容易に応えていくことができる。
【００３４】
以上に、本発明の実施形態を示したが、本発明はこれに限られるものではなく、発明思想を逸脱しない範囲で各種の変更が可能である。例えば、上記の実施形態では、生活動作比較体験用の引出しとして、浴室用、トイレ用、カウンター用、収納用の引出しを備えさせた場合を示しているが、その他の生活動作を比較体験する引出しが備えられていてもよい。また、上記の実施形態では、トイレや浴室、カウンター、収納というように、複数種類の生活動作を比較体験する引出しを備えた比較体験設備に構成されているが、トイレならトイレ、浴室なら浴室というように、一種類の生活動作を比較体験する引出しを備えた比較体験設備に構成されていてもよい。また、上記の実施形態では、収納部体験用として、引出し式の収納部と、ハッチ式の収納部が備えられているが、このように、一部を引出し式とし、一部を他の式にする構成としてもよい。そのような例として、例えば、上記の設備において、引出し式の収納部に替えて、引き戸式の収納部や開き戸式の収納部を高さ位置を異ならせて備えさせ、高さ位置によってそれぞれの式の収納部の使い勝手を体験できるようになされていてもいよい。
【００３５】
【発明の効果】
本発明は、以上のとおりのものであるから、限られたスペースの中でスペースを有効利用しながら生活動作における寸法的な比較体験を行うことができ、生活動作における寸法的な比較体験の機会を世の中に広く与えていくことができる。
【図面の簡単な説明】
【図１】実施形態の体験設備を示すもので、図（イ）は引出しを引き出した状態の平面図、図（ロ）は引出しを戻した状態の平面図である。
【図２】図（イ）は体験設備の斜視図、図（ロ）は一側面図である。
【図３】図（イ）は入浴空間形成用の引出しの一例を示す透視図、図（ロ）は入浴空間形成用の引出しの他の例を示す透視図である。
【図４】トイレ空間形成の引出しの一例を示す斜視図である。
【図５】カウンター体験用引出しの一例を示すもので、図（イ）は斜視図、図（ロ）は部分拡大断面側面図である。
【図６】図（イ）は収納体験用引出しの一例を示す斜視図、図（ロ）は体験設備の一使用例を示す断面平面図である。
【符号の説明】
１…生活動作比較体験設備
２…収納ボックス
３…キャスター（移動手段）
４…浴室空間形成用の引出し（体験用引出し）
５…トイレ空間形成用の引出し（体験用引出し）
６…カウンター体験用の引出し（体験用引出し）
７…収納体験用の引出し（体験用引出し）
８…グリッド
【図１】
2004264544.tif 000003
【図２】
2004264544.tif 000004
【図３】
2004264544.tif 000005
【図４】
2004264544.tif 000006
【図５】
2004264544.tif 000007
【図６】
2004264544.tif 000008